(57)【要約】      （修正有）【課題】荷物を収納するバッグ本体への水漏れ並びにバッグ本体に収納される荷物の水濡れを簡易な構造により防止できるキャリーバッグを提供する。【解決手段】バッグ本体１０と、ハンドル長さ調節操作部２１を配設した把持部２２およびハンドル長さを調節し固定するための係止フック２３，４３及び上下方向に伸縮可能な伸縮パイプＰ１を備えたハンドル部２０と、伸縮パイプの上下動用穴３１と指差込部３２が形成され把持部を嵌合する嵌合部３０と、伸縮パイプを内部に収容し係止フック及び固定パイプ、上部取付部４１及び下部取付部４２からなりバッグ本体内側に配設されるハンドル受容部４０と、走行用車輪５０とを備えてなるキャリーバッグにおいて、固定パイプを収容する固定パイプ収容ケース６０を上部及び下部取付部に固着して配設し、固定パイプ収容ケースの任意部位に侵入水を外部に排出する侵入水排出部７０を備えた。【選択図】図１
2015033424.tif 000002
【特許請求の範囲】
【請求項１】
荷物を収納するバッグ本体と、
ハンドル長さ調節操作部を配設した把持部およびハンドル長さを調節し固定するための係止フック及び／又は係止穴を形成し上下方向に伸縮可能な１又は２以上の伸縮パイプを備えたハンドル部と、
該伸縮パイプの上下動用穴と把持部を掴むための指差込部が形成され、把持部を嵌合する把持部嵌合部と、
該伸縮パイプを内部に収容しハンドル長さを調整し固定するための係止フック及び／又は係止穴を形成する固定パイプ、固定パイプの上部側を固定して取り付ける上部取付け部および固定パイプの下部側を固定して取り付ける下部取付け部からなり、該バッグ本体内側に配設されるハンドル受容部と、
該バッグ本体底部に取付けられる走行用車輪と、を備えてなるキャリーバッグにおいて、
前記固定パイプを収容する固定パイプ収容ケースを前記上部及び下部取付け部に固着して配設し、該固定パイプ収容ケースの任意部位に侵入水を外部に排出する侵入水排出部を備えた、ことを特徴とするキャリーバッグ。
【請求項２】
前記ハンドル部の伸縮パイプが一対となるように２個配設され、前記把持部が一対の伸縮パイプの上端部間に跨るように設けられ、該一対の伸縮パイプに対応して固定パイプが２個配設され、それぞれの固定パイプを受容するハンドル受容部が２個配設されてなるキャリーバッグにおいて、
前記固定パイプ収容ケースが２個の固定パイプのそれぞれに対応して２個配設され、前記侵入水排出部が２個の固定パイプ収容ケースのそれぞれに対応して２個配設される、ことを特徴とする請求項１に記載のキャリーバッグ。
【請求項３】
前記固定パイプ収容ケースが２個の固定パイプ全体を包囲収容するように１個配設され、前記侵入水排出部が該１個の固定パイプ収容ケースに対応して１個配設される、ことを特徴とする請求項２に記載のキャリーバッグ。
【請求項４】
前記侵入水排出部が前記固定パイプ収容ケースの底部に形成される、ことを特徴とする請求項１〜３のいずれかに記載のキャリーバッグ。
【請求項５】
前記侵入水排出部が、前記固定パイプ収容ケース底部の内側径から外側中心部に向け先細り状に形成され、該侵入水排出部の先端開口部が網状、メッシュ状または複数の小孔を開口したパンチングボード状に形成される、ことを特徴とする請求項１〜４のいずれかに記載のキャリーバッグ。
【請求項６】
前記把持部嵌合部がバッグ本体背面および両側面側の壁が段差を付けてバッグ本体平面より高く形成される、ことを特徴とする請求項１〜５のいずれかに記載のキャリーバッグ。
【発明の詳細な説明】
【技術分野】
【０００１】
本発明は、旅行、出張、買い物などにおいて各種荷物の運搬に使用されるキャリーバッグに関し、荷物を収納するバッグ本体への水漏れ並びにバッグ本体に収納される荷物の水濡れを防止できるキャリーバッグに関する。
【背景技術】
【０００２】
従来、各種荷物の運搬に使用されるキャリーバッグとして、荷物を収納するバッグ本体、ハンドル長さを調節し固定するための操作部を先端部に取付けた把持部を設けた上下方向に伸縮可能でハンドルとして使用する伸縮パイプ（ハンドル部）、伸縮パイプの上下動用の穴を開口し把持部を嵌合する嵌合部、伸縮パイプを受容してハンドル長さを調節し固定する伸縮パイプ受容部を備え、底面に走行用車輪を取り付けたものが知られており、このようなキャリーバッグは、ハンドル部が１本取り付けられた１本ハンドルタイプやハンドル部が２本以上取り付けられた複数ハンドルタイプがあり、移動する際には、操作部によりハンドルを適当な長さに調整し固定し、把持部を握って牽引することができる。キャリーバッグの移動を停止する場合などハンドル部を縮めた際には、把持部はハンドル受容部上方側の嵌合部に収められ、伸縮するパイプ全てがバッグ本体内側に設けられるハンドル受容部に受容され係止部によって係止され固定される。
【０００３】
バッグ本体としては、表面部、前面、側面或いは背面部に各種荷物を出し入れするためのファスナー等を取り付けた開閉部を設け、箱型状や袋状体をなし、金属製、プラスチック製、布製のものがあり、ハンドル部はハンドル長さを調節して固定するための係止フック、係止穴を形成した１又は２以上の伸縮パイプを備え、また取付け部により固定されるハンドル受容部は、バッグ本体内側に配設され、伸縮パイプを内部に収容してハンドル長さを調整して固定するための係止穴を形成する固定パイプを備えたものが知られている。ハンドル受容部上方側の嵌合部には伸縮パイプの上下動用の穴が開口されている。
【０００４】
このようなキャリーバッグにおいては、雨天時等の使用を考慮して、開閉用ファスナー部は周囲をカバーで覆う、金属製等のキャリーバッグの開閉部には防水パッキングを装着する等によりバッグ本体には防水処理がなされているものの、ハンドル部に形成される隙間から侵入する水漏れ対策が講じられたキャリーバッグは存在しない。把持部の長さ調節操作部、伸縮パイプの長さ調整固定用の係止穴や係止フック、伸縮パイプ同士間および伸縮パイプと固定パイプとの間などにおいて隙間が形成されることは避けられない。このような隙間は操作・使用頻度が多くなるに連れて大きくなる傾向にある。このような隙間からバッグ本体内側に配設されたハンドル受容部に水が浸入し、固定パイプの係止穴やフックを通ってバッグ本体内部への水漏れを生じることになる。
【０００５】
ゲリラ豪雨が増加傾向にある近年において、特にバック本体にノートパソコン、電子カメラなどの精密電子機器類、紙製重要書類等が収納されている場合は水濡れによる操作不能、判読不能等の重大な事態が懸念され、さらにはバッグ本体、ハンドル受容部やパイプ長さ調節固定手段の腐食、劣化にも繋がるため、バッグ本体への水漏れを防止し、収納物の水濡れを阻止することができるキャリーバッグが望まれている。
【０００６】
特許文献１は雨水の侵入や泥の跳ね返りを防ぐためのキャリーバッグを覆うキャリーバッグ防水カバーを提案しているが、キャリーバッグへの装着作業が煩わしく、防水カバーを常に携行する必要があり不便であり、キャリーバッグ防水の根本的な解決手段を提案するものとはいえない。
【先行技術文献】
【特許文献】
【０００７】
【特許文献１】実用新案登録第３１１２５９７号公報
【発明の概要】
【発明が解決しようとする課題】
【０００８】
本発明は、旅行や出張等で各種荷物の運搬に使用されるキャリーバッグにおいて、荷物を収納するバッグ本体への水漏れ並びにバッグ本体に収納される荷物の水濡れを簡易な構造により防止できるキャリーバッグを提供することを課題とする。
【課題を解決するための手段】
【０００９】
本発明はハンドル部の開口部分や隙間からの侵入水によるバッグ本体内部への水漏れを防止することを目的とするもので、請求項１に記載の発明は、ハンドル部が１本取り付けられた１本ハンドルタイプ並びにハンドル部が２本以上取り付けられた複数ハンドルタイプのキャリーバッグにおいて適用されるものであり、荷物を収納するバッグ本体１０と、ハンドル長さ調節操作部２１を配設した把持部２２、およびハンドル長さを調節し固定するための係止フック２３及び／又は係止穴２４を形成し上下方向に伸縮可能な１又は２以上の伸縮パイプＰ１、Ｐ２・・・Ｐｎを備えたハンドル部２０と、該伸縮パイプの上下動用穴３１と把持部を掴むための指差込部３２が形成され、把持部を嵌合する把持部嵌合部３０と、該伸縮パイプを内部に収容しハンドル長さを調整し固定するための係止フック４３及び／又は係止穴４４を形成する固定パイプＦＰ、固定パイプの上部側を固定して取り付ける上部取付け部４１、および固定パイプの下部側を固定して取り付ける下部取付け部４２からなり、該バッグ本体内側に配設されるハンドル受容部４０と、該バッグ本体底部に取付けられる走行用車輪５０と、を備えてなるキャリーバッグにおいて、前記固定パイプＦＰを収容する固定パイプ収容ケース６０を前記上部及び下部取付け部４１、４２に固着して配設し、該固定パイプ収容ケースの任意部位に侵入水を外部に排出する侵入水排出部７０を備えたキャリーバッグであることを特徴とする。
【００１０】
請求項２、３に記載の発明は、ハンドル部が２本取り付けられた２本ハンドルタイプのキャリーバッグに関する発明であり、請求項２記載の発明は、請求項１記載の前記ハンドル部２０の伸縮パイプが一対となるように２個（Ｐ１・Ｐ１’、Ｐ２・Ｐ２’）配設され、前記把持部２２が一対の伸縮パイプの上端部間に跨るように設けられ、該一対の伸縮パイプに対応して固定パイプが２個（ＦＰ・ＦＰ’）配設され、それぞれの固定パイプを受容するハンドル受容部が２個（４０・４０’）配設されてなるキャリーバッグにおいて、前記固定パイプ収容ケースが２個の固定パイプＦＰ・ＦＰ’のそれぞれに対応して２個（６０・６０’）配設され、前記侵入水排出部が２個の固定パイプ収容ケース６０・６０’のそれぞれに対応して２個（７０・７０’）配設されるキャリーバッグであることを特徴とする。請求項３記載の発明は、請求項２記載の発明において前記固定パイプ収容ケースが２個の固定パイプＦＰ・ＦＰ’全体を包囲収容するように１個配設され、前記侵入水排出部が該１個の固定パイプ収容ケース６１に対応して１個（７１）配設されるキャリーバッグであることを特徴とする。
【００１１】
請求項４記載の発明は、請求項１乃至３記載の前記侵入水排出部７０、７０’、７１が前記固定パイプ収容ケース６０、６０’、６１の底部に形成されることを特徴とし、請求項５記載の発明は、請求項１乃至４記載の前記侵入水排出部７０、７０’、７１が、前記固定パイプ収容ケース底部の内側径から外側中心部に向け先細り状に形成され、該侵入水排出部の先端開口部７０１、７０１’、７１１が網状、メッシュ状または複数の小孔を開口したパンチングボード状に形成されることを特徴とする。請求項６に記載の発明は、請求項１乃至５記載の前記把持部嵌合部３０がバッグ本体背面および両側面側の壁Ｗが段差を付けてバッグ本体平面より高く形成されることを特徴とする。
【発明の効果】
【００１２】
本発明に係るキャリーバッグは、バッグ本体と、ハンドル長さ調節操作部を配設した把持部およびハンドル長さ調節固定用係止フック、係止穴を形成し伸縮可能な１又は２以上の伸縮パイプを備えたハンドル部と、該伸縮パイプ上下動用穴と指差込部が形成された把持部嵌合部と、伸縮パイプを収容し係止フック、係止穴を形成する固定パイプ、固定パイプ上部取付け部および下部取付け部からなりバッグ本体内側に配設されるハンドル受容部と、走行用車輪とを備えてなるキャリーバッグにおいて、固定パイプを内部に収容する固定パイプ収容ケースを配設し、固定パイプ収容ケースの任意部位に侵入水を外部に排出する侵入水排出部を備えている。そのため、雨天使用時等におけるハンドル部の開口部分や隙間から侵入する水によるバッグ本体への水漏れ防止、収納物の水濡れを阻止することができる。請求項１記載の発明は、ハンドル部が１本取り付けられた１本ハンドルタイプ並びにハンドル部が３本以上取り付けられた複数ハンドルタイプのキャリーバッグに適用される。
【００１３】
請求項２、３記載の発明はハンドル部が２本取り付けられた２本ハンドルタイプのキャリーバッグに係るものであり、請求項２記載発明は、２個配置される固定パイプに対応して固定パイプ収容ケースをそれぞれ１個ずつ計２個配設し、２個配設される固定パイプ収容ケースに対応してそれぞれ侵入水排出部を１個ずつ計２個配設する。そのため各ハンドル受容部への侵入水のバッグ本体への水漏れ防止が可能となる。また請求項３記載発明は、固定パイプ収容ケースを２個配置される固定パイプ全体を包囲収容するように１個配設し、１個の固定パイプ収容ケースに対応して侵入水排出部を１個配設する。このような構成とすることにより製作作業、コストの低減に繋がり、バッグ本体の外部に形成される侵入水排出部が１個となりデザイン上すっきりしたものとすることができる。
【００１４】
請求項４記載の発明は上記した侵入水排出部を固定パイプ収容ケースの底部に形成する構成とするものであり、底部の排出口は、把持部の長さ調節操作部、伸縮パイプの長さ調整固定用の係止穴・フック、伸縮パイプ同士間および固定パイプと固定パイプ収容ケースとの間の隙間からの侵入水が底方向に真下に流れ落ちるために侵入水を効率よく外部に排出できる。
【００１５】
請求項５記載の発明は、固定パイプ収容ケースの底部において、上記した侵入水排出部を固定パイプ収容ケース底部の内側径から外側中心部に向け先細り状（漏斗状）に形成し、バッグ本体の外側に位置する侵入水排出部の先端開口部を網状、メッシュ状または複数の小孔を開口したパンチングボード状に形成したものであり、侵入水をより効率的に外部に排出できると共に路面からの跳ね返り水や泥などのハンドル受容部への侵入を防止することができる。また、請求項６記載の発明は把持部嵌合部のバッグ本体背面および両側面側の壁Ｗを、段差を付けてバッグ本体平面より高く形成している。これにより嵌合部に溢れる水のバッグ本体側への侵入を阻止すると共に外部への流出を円滑にすることができる。
【図面の簡単な説明】
【００１６】
【図１】本発明に係るキャリーバッグの第１の構成例のハンドル部を伸ばした状態を示す斜視図である。
【図２】本発明の第１の構成例のハンドル部を縮めた状態を説明する図であり、図１のＡ−Ａ概略拡大断面図（Ａ）、図１のＢ−Ｂ間概略拡大縦断面図（Ｂ）及び侵入水排出部の先端開口部の構成例を示す平面図（Ｃ）である。
【図３】本発明に係るキャリーバッグの第２の構成例のハンドル部を伸ばした状態を示す斜視図である。
【図４】本発明の第２の構成例のハンドル部を縮めた状態を説明する図であり、図３のＡ−Ａ概略拡大断面図（Ａ）、図３のＢ−Ｂ間概略拡大縦断面図（Ｂ）及び侵入水排出部の先端開口部の構成例を示す平面図（Ｃ）である。
【図５】本発明に係るキャリーバッグの第３の構成例のハンドル部を伸ばした状態を示す斜視図である。
【図６】本発明の第３の構成例のハンドル部を縮めた状態を説明する図であり、図５のＡ−Ａ概略拡大断面図（Ａ）、図５のＢ−Ｂ間概略拡大縦断面図（Ｂ）及び侵入水排出部の先端開口部の構成例を示す平面図（Ｃ）である。
【発明を実施するための形態】
【００１７】
以下、添付図を参照しつつ本発明に係るキャリーバッグの実施の形態について詳細に説明する。図１は本発明に係るキャリーバッグの第１の構成例（第１の発明）のハンドル部を最大に伸ばした状態を示す斜視図であり、伸縮パイプを収容する固定パイプＦＰ及び固定パイプを収容する固定パイプ収容ケース６０はバッグ本体の内側に配設されているため破線で表している。図２は第１の構成例においてハンドル部を縮めた状態、即ち把持部を嵌合部に嵌合させ伸縮パイプを固定パイプ内部に収容した状態（ハンドル部を受容した状態）を説明するための図であり、概略拡大断面図（Ａ）、（Ｂ）及び侵入水排出部の先端開口部の構成例を示す平面図（Ｃ）である。なお、図１ではハンドル部が１本取り付けられた１本ハンドルタイプを示しているが、第１の構成例に係る第１の発明は１本ハンドルタイプに限られずハンドル部が２本以上取り付けられた複数ハンドルタイプのキャリーバッグにおいても適用されるものである。
【００１８】
本発明に係る第１の発明は図１、２に示すように、バッグ本体１０、ハンドル部２０、把持部嵌合部３０、ハンドル受容部４０及び走行用車輪５０を備えたキャリーバッグであって、ハンドル受容部４０に配置される固定パイプＦＰを収容する固定パイプ収容ケース６０を備え、固定パイプ収容ケースに侵入水排出部７０を形成してなるキャリーバッグである。バッグ本体１０は荷物を収納するもので、表面部、前面、側面或いは背面部に各種荷物を出し入れするためのファスナー等を取り付けた開閉部が設けられ、金属製、プラスチック製、布製などの箱型状や袋状体をなしているが、本発明においてはバッグ本体の付属品、素材、形状等は特に限定されるものではない。
【００１９】
ハンドル部２０は把持部２２、伸縮パイプＰ１、Ｐ２・・・Ｐｎを備えており、把持部２２はキャリーバッグを牽引、持上げる際に手で握るもので、把持部にはハンドルの長さを牽引、持上げなどに適した長さに調整し固定するためのハンドル長さ調節操作部２１が配設されている。伸縮パイプは内部を空洞とするアルミ製等の筒状体であり、適当な長さに調整できるように大きい径と小さい径の複数のパイプが重なり合って滑動することにより上下方向に伸縮可能となっており、ハンドル部が最も縮まった際には最大径の伸縮パイプは固定パイプＦＰに収容されて固定されることになる。そのため、パイプには伸縮パイプの周壁の適宜部位に開口されて、ハンドル長さを適当な長さに調節し固定するための係止フック２３が取り付けられ、これに対応する係止穴２４が形成されている。
【００２０】
なお、係止フック、係止穴の取り付け位置、数等は特に限定されるものではなく、両者が係合する関係に位置するように適宜数取付けられればよい。また、図では伸ばした際に固定パイプＦＰの上方に位置する伸縮パイプを２本（Ｐ１、Ｐ２）とする３段タイプとしているが、伸縮パイプの数は特に限定されるものでなく、用途に応じて１本とする２段タイプ、２本とする３段タイプ、３本以上とする４段、５段、６段タイプとすることができる。また、伸縮パイプ、固定パイプの横断面形状は、図では円形としているが、円形に限られず楕円形状、両短辺を半円状とする長方形状、三角形状、四角形状、六角形状等でもよい、また、図面の作成上、図２（Ａ）では伸縮パイプＰ１、Ｐ２及び固定パイプＦＰを細実線で、固定パイプ収容ケース６０及び侵入水排出部７０を太実線でそれぞれ表し、図２（Ｂ）では伸縮パイプＰ１を破線で、Ｐ２を一点鎖線で、固定パイプＦＰを斜線付き二重細線で、固定パイプ収容ケース６０及び侵入水排出部７０を太実線で、上部取付け部４１及び下部取付け部４２を斜線でそれぞれ表している。
【００２１】
把持部嵌合部３０は、ハンドル部が最も縮まった際に把持部２２が外側にはみださないように把持部を受容し嵌め込む部材であり、バッグ本体側に露出しており、表面に伸縮パイプＰ１、Ｐ２・・・Ｐｎの上下動用穴３１が開口され、把持部を容易に掴むことを可能にする指差込部３２が形成されている。また本発明においては把持部嵌合部３０のバッグ本体背面および両側面側の壁Ｗを、段差を付けてバッグ本体平面より高く形成している。そのため雨量が多いときなど嵌合部に溢れる水のバッグ本体側への侵入を阻止すると共に外部への流出を円滑にすることができる。
【００２２】
ハンドル受容部４０はバッグ本体の外側に露出することなく本体内側に配設され、上部取付け部４１及び下部取付け部４２に固定して取り付けられる固定パイプＦＰを備えている。なお、本発明の説明においては後述する固定パイプＦＰを収容する固定パイプ収容ケース６０を含めてハンドル受容部或いはハンドル収容部と称している。固定パイプＦＰは伸縮パイプより径が大きく、ハンドル部が縮められた際には内部に伸縮パイプ全てを収容すると共に、ハンドル長さを調整し固定する機能も併せ持つ。そのため固定パイプＦＰにはパイプ周壁の適宜部位に、ハンドル長さを適当な長さに調節し固定するための係止フック４３が取り付けられ、係止穴４４が開口されている。上部取付け部４１は把持部嵌合部３０と連結されており、固定パイプの上部側を固定して取り付ける。下部取付け部４２はハンドル受容部底面部において固定パイプの下部側を固定して取り付ける。なお、固定パイプ収容ケース６０もこれら上部・下部取付け部に固着して取り付けられる。
【００２３】
走行用車輪５０はキャリーバッグを牽引する際の利便性のためバッグ本体底部に取付けられるものである。走行用車輪にブレーキや停止固定装置（ストッパー）を備えたものがあるが、本発明はブレーキ等を備えたキャリーバッグにも適用されるものである。また、本発明は走行用車輪が取り付けられていないキャリーバッグにも適用されるものである。上記した構成のキャリーバッグにおいては、把持部の長さ調節操作部２１における隙間Ｏ１、伸縮パイプ長さ調整固定用の係止穴２４・係止フック２３における隙間Ｏ２、伸縮パイプＰ１、Ｐ２間における隙間Ｏ３、伸縮パイプＰ２と固定パイプＦＰとの間（伸縮パイプＰ２の上下動用穴）における隙間Ｏ４などが形成されることになる。雨天、特に豪雨時のキャリーバッグの使用にあっては、このような隙間からハンドル受容部内に水が浸入し、ハンドル受容部に貯留する侵入水は固定パイプの係止穴・フックの隙間を通ってバッグ本体内に侵入することになり様々な弊害を生じる。そのため侵入水の排出、乾燥等の処理対応が必要となる。
【００２４】
本発明に係るキャリーバッグは上記した構成に加えて、侵入水排出部７０を形成した固定パイプ収容ケース６０を備えている。固定パイプ収容ケース６０は固定パイプＦＰを収容するもので、固定パイプＦＰより径が大きく内部を空洞とする筒状であり、横断面形状はその内側に位置する固定パイプの横断面形状と同一形状が好ましいがこれに限られない。固定パイプ収容ケース６０は上部側を上部取付け部４１に固着され、下部側を下部取付け部４２に固着されている。固定パイプ収容ケース６０は、固定パイプを包囲して隙間Ｏ１〜Ｏ４などからハンドル受容部に侵入する水のバッグ本体への漏水を遮断して侵入水排出部７０から外部に排出する。
【００２５】
固定パイプ収容ケース６０は、隙間Ｏ１〜Ｏ４からハンドル受容部に侵入する水をバッグ本体の外側に排出するための侵入水排出部７０を形成している。この侵入水排出部は固定パイプ収容ケースの底部に形成されると都合がよい。底部の排出口は、隙間Ｏ１〜Ｏ４からの侵入水が下方向の直線通路を通って底方向に流れ落ちるため侵入水を円滑に効率よく外部に排出できる。なお、侵入水排出部の形成位置は固定パイプ収容ケースの底部に限られず、例えば固定パイプ収容ケースの側面の任意の部位に傾斜を付けて形成する、あるいは侵入水排出部の先端開口部がバッグ本体背面に突出するように形成することもできる。
【００２６】
侵入水排出部７０は、侵入水を円滑に外部に排出するために固定パイプ収容ケースの底部において、ケース底部の内側径から外側中心部に向けて先細り状（漏斗状）に形成すると都合がよい。侵入水排出部の先端開口部７０１は単なる開口としてもよいが、網状、メッシュ状または複数の小孔を開口したパンチングボード状に形成することが好ましい。これにより路面からの跳ね返り水、泥などのハンドル受容部への侵入を防止することができる。なお、侵入水排出部の先端開口部はバッグ本体の外側に形成され、バッグ本体底面と同一面上に外側に開口して形成してもよく、図に示すように外側に突出して形成してもよいが、キャリーバッグの移動に支障がないように走行用車輪よりも短く形成する必要がある。
【００２７】
図３は、第２の構成例（第２の発明）のハンドル部を最大に伸ばした状態を示す斜視図であり、ハンドル収容部は破線で表している。図４は第２の構成例のハンドル部を縮めた状態を説明するための図であり、概略拡大断面図（Ａ）、（Ｂ）及び侵入水排出部の先端開口部の構成例を示す平面図（Ｃ）である。図面の作成上、図４（Ａ）では伸縮パイプＰ１・Ｐ１’、Ｐ２・Ｐ２’及び固定パイプＦＰ・ＦＰ’を細実線で、固定パイプ収容ケース６０・６０’及び侵入水排出部７０・７０’を太実線でそれぞれ表し、図４（Ｂ）では伸縮パイプＰ１・Ｐ１’を破線で、Ｐ２・Ｐ２’を一点鎖線で、固定パイプＦＰ・ＦＰ’を斜線付き二重線で、固定パイプ収容ケース６０・６０’及び侵入水排出部７０・７０’を太実線で、上部取付け部４１及び下部取付け部４２を斜線で、それぞれ表している。また、図３、４では第２の発明に関係する部位に符号を付し、図１、２と同一のその他の構成部位の符号は省略している。
【００２８】
本発明に係る第２の発明はハンドル部が２本取り付けられた２本ハンドルタイプのキャリーバッグであって、固定パイプ収容ケースが２個の固定パイプそれぞれを包囲収容する構成とし、当該２個の固定パイプ収容ケースに対応して侵入水排出部をそれぞれ１個ずつ形成しているものである。なお、第１の発明と同一の構成部分については第１の発明の説明において詳述したのでここでは第１の発明と異なる構成についてのみ説明する。第２の発明においては図３、４に示すように、ハンドル部の伸縮パイプを左右一対となるように２個（Ｐ１・Ｐ１’、Ｐ２・Ｐ２’）取付けている。両伸縮パイプは並行して上下方向に伸縮する。伸縮パイプの上端部には把持部２２を一対の伸縮パイプの上端部間を跨るように取付けている。そして、一対の伸縮パイプに対応してそれぞれを収容する固定パイプを２個（ＦＰ・ＦＰ’）配設し、それぞれの固定パイプを受容するハンドル受容部を２個（４０・４０’）配設している。ここでハンドル受容部（ハンドル収容部）は伸縮パイプ及び固定パイプを収容する部材であることを指称する。
【００２９】
第２の発明においては、２個の固定パイプＦＰ・ＦＰ’のそれぞれに対応して固定パイプ収容ケースを２個配設し、２個の固定パイプ収容ケース６０・６０’のそれぞれに対応して侵入水排出部を２個配設している。そして、２個の侵入水排出部７０・７０’のそれぞれに対応して先端開口部を２個（７０１・７０１’）配設している。なお、一方の伸縮パイプＰ１’、Ｐ２’、固定パイプＦＰ’、ハンドル受容部４０’、固定パイプ収容ケース６０’、侵入水排出部７０’並びに先端開口部７０１’は、それぞれ第１の発明の伸縮パイプＰ１、Ｐ２、固定パイプＦＰ、ハンドル受容部４０、固定パイプ収容ケース６０、侵入水排出部７０並びに先端開口部７０１と同一であり、それぞれの構成、作用等も同様である。
【００３０】
図５はハンドル部を最大に伸ばした状態を示す第３の構成例（第３の発明）を示す斜視図であり、ハンドル収容部は破線で表している。図６は第３の構成例のハンドル部を縮めた状態を説明する図であり、概略拡大断面図（Ａ）、（Ｂ）及び侵入水排出部の先端開口部の構成例を示す平面図（Ｃ）である。図６（Ａ）においては侵入水排出部７１を中央部に太実線で表しており、伸縮パイプ及び固定パイプ、固定パイプ収容ケースの表示並びに図６（Ｂ）における伸縮パイプ、固定パイプ、固定パイプ収容ケース及び侵入水排出部の表示は図４と同様としている。図５、６では第３の発明に関係する部位に符号を付し、図１、２、３、４と同一のその他の構成部位の符号は省略している。
【００３１】
本発明に係る第３の発明は、第２の発明に係る２本ハンドルタイプのキャリーバッグにおいて、１個の固定パイプ収容ケースで２個の固定パイプ全体を包囲収容する構成とし、当該１個の固定パイプ収容ケースに対応して１個の侵入水排出部７１を形成するものである。なお、第１、第２の発明と同一の構成部分については第１、第２の発明の説明において詳述したので、ここでは第１、第２の発明と異なる構成についてのみ説明する。
【００３２】
第３の発明においては、図５、６に示すように固定パイプ収容ケース６１がハンドル収容部に配設される２個の固定パイプＦＰ・ＦＰ’全体を包囲収容している。この固定パイプ収容ケース６１は底部に侵入水排出部７１を形成し、先端部には開口部７１１を形成している。第３の発明によれば製作作業、コストの低減に繋がり、外部へ突出する侵入水排出部が１個となりデザイン上すっきりした構成とすることができる。なお、伸縮パイプ、固定パイプ、ハンドル受容部、固定パイプ収容ケース、並びに侵入水排出部７１および先端開口部７１１は、それぞれ第１、第２の発明と同様であり、それぞれの構成、作用等も同様である。なお、３本以上のハンドルタイプのキャリーバッグにおいて、３個以上の固定パイプ全体を１個の固定パイプ収容ケースで包囲収容して１個の侵入水排出部を形成する構成とするか、それぞれの固定パイプをそれぞれの固定パイプ収容ケースで収容して固定パイプ収容ケースの数だけ侵入水排出部を形成する構成とするかは任意に選択できるものである。
【００３３】
なお、本発明は上述した構成例に限られるものではなく、バッグ本体、ハンドル部、把持部嵌合部、ハンドル受容部、走行用車輪、固定パイプ収容ケース、侵入水排出部のそれぞれの素材、構造、形状等は適宜変更して設計され得るものである。
【産業上の利用可能性】
【００３４】
本発明は、バッグ本体、ハンドル部、把持部嵌合部、ハンドル受容部及び走行用車輪を備えたキャリーバッグにおいて、侵入水を外部に排出する侵入水排出部を形成したハンドル受容部の固定パイプを内部に収容する固定パイプ収容ケースを配設しているので、雨天使用時等におけるハンドル部の開口部分や隙間から侵入する水によるバッグ本体への水漏れを防止し、収納物の水濡れを阻止することが可能となる。
【００３５】
そのため、雨天時の使用、散水、不意の水濡れなどによるバッグ本体に収納されるノートパソコン等の精密電子機器類などの水濡れによる操作不能、故障等を回避でき、バッグ本体、ハンドル受容部やパイプ長さ調節固定手段等の腐食、劣化を防止でき、雨天時においても安心して使用できるキャリーバッグを提供できる。
【００３６】
本発明は、キャリーバッグに限られず、伸縮パイプ、固定パイプを適用したものであれば買い物かご等各種荷物運搬用バッグに広く利用することができる。固定パイプ収容ケースの増設によってバッグ本体の荷物収納スペースが極端に縮小されるものではなく、キャリーバッグの重量も極端に増大することもない。
【符号の説明】
【００３７】
１０    バッグ本体
２０    ハンドル部
２１    ハンドル長さ調節操作部
２２    把持部
２３、４３    係止フック
２４、４４    係止穴
３０    把持部嵌合部
３１    伸縮パイプ上下動用穴
３２    指差込部
４０、４０’    ハンドル受容部（ハンドル収容部）
４１    上部取付け部
４２    下部取付け部
５０    走行用車輪
６０、６０’、６１    固定パイプ収容ケース
７０、７０’、７１    侵入水排出部
７０１、７０１’、７１１    先端開口部
Ｐ１、Ｐ１’、Ｐ２、Ｐ２’、・・・Ｐｎ    伸縮パイプ
ＦＰ、ＦＰ’    固定パイプ
Ｏ１、Ｏ２、Ｏ３、Ｏ４    隙間
Ｗ    把持部嵌合部の側壁
【図１】
2015033424.tif 000003
【図２】
2015033424.tif 000004
【図３】
2015033424.tif 000005
【図４】
2015033424.tif 000006
【図５】
2015033424.tif 000007
【図６】
2015033424.tif 000008